(57)【特許請求の範囲】
【請求項１】
空気調和機（２０，３０）に供給される電力に関する情報を受信する受信部（１２）と、
前記電力に関する情報に基づく演算処理を行い、前記空気調和機（２０，３０）に供給される電力を抑制および復帰する制御信号を生成する制御部（１１、５１）と、
前記制御信号を前記空気調和機（２０，３０）に送信する送信部（１３）と
を備えており、
前記制御部（１１、５１）は、抑制指令に係る判定時間よりも復帰指令に係る判定時間のほうを短くして、前記空気調和機（２０，３０）の電力を復帰させる制御を行うための復帰用の制御信号を生成する、
デマンド制御装置。
【請求項２】
前記制御部は、
前記抑制指令に係わる判定条件について、前記空気調和機の現在の積算電力量が目標電力量ラインより上にありかつ、所定のデマンド時限の終了時における室外機の予測電力量がデマンド目標値より上にある場合に抑制用の制御信号を生成し、
前記復帰指令に係わる判定条件について、前記空気調和機（２０，３０）の現在の積算電力量が前記目標電力量ラインより下にあるか、または、所定のデマンド時限の終了時における前記空気調和機（２０，３０）の予測電力量が前記デマンド目標値より下の場合に復帰用の制御信号を生成する、
請求項１に記載のデマンド制御装置。
【請求項３】
前記制御部（５１）は、現在の積算電力量あるいは予測電力量がそれぞれの目標値から所定の大きさよりも下回っている場合に、前記空気調和機（２０，３０）の電力の復帰に制限を設ける、
請求項２に記載のデマンド制御装置。
【請求項４】
前記制御部は、経過時間により、現在の積算電力量及び予測電力量の判定基準値を変化させる、請求項１に記載のデマンド制御装置。
【請求項５】
空気調和機（２０，３０）のデマンド制御を行うデマンド制御方法であって、
前記空気調和機（２０，３０）に供給される電力に関する情報を受信する受信ステップと、
前記電力に関する情報に基づいて、抑制指令に係る判定時間よりも復帰指令に係る判定時間のほうを短くして、前記空気調和機（２０，３０）の電力を復帰させる制御を行うための復帰用制御信号を生成する制御信号生成ステップと、
前記制御信号を前記空気調和機（２０，３０）に送信する送信ステップと
を備えている、
デマンド制御方法。
【請求項６】
空気調和機（２０，３０）のデマンド制御を行うデマンド制御プログラムであって、
前記空気調和機（２０，３０）に供給される電力に関する情報を受信する受信ステップと、
前記電力に関する情報に基づいて、抑制指令に係る判定時間よりも復帰指令に係る判定時間のほうを短くして、前記空気調和機（２０，３０）の電力を復帰させる制御を行うための復帰用制御信号を生成する制御信号生成ステップと、
前記制御信号を前記空気調和機（２０，３０）に送信する送信ステップと
をコンピュータに実行させる、デマンド制御プログラム。
【発明の詳細な説明】
【技術分野】
【０００１】
本発明は、電力デマンドの制御を行うデマンド制御装置、デマンド制御方法およびデマンド制御プログラムに関する。
【背景技術】
【０００２】
従来より、空気調和機が主な高電力デマンドの発生要因であるという観点から、空気調和機を対象としたデマンド制御が行われている。従来のデマンド制御として、例えば、電力メータ等から電力情報を取得して全体の電力デマンドを計算して空気調和機の運転能力に対応する電力の抑制および復帰を制御するデマンド制御方法が特許文献１などに記載されている。
【特許文献１】特開昭４９−１３１１７４号公報
【発明の開示】
【発明が解決しようとする課題】
【０００３】
一般的には、空気調和機の電力を抑制させるデマンド制御と復帰させるデマンド制御とを比較した場合、電力の応答性が異なっている。具体的には、図９〜１０に示されるように、電力変化の遅れ時間は、抑制時よりも復帰時の方が長くなる。その理由として、空気調和機が復帰指令を受けた後も、室外機の圧縮機の保護などの観点から空気調和機を短時間に立ち上げることができない事情があるためである。
【０００４】
したがって、上記のような従来の一般的なデマンド制御では、復帰指令を行っても、空気調和機の復帰応答性が遅いため（具体的には、電力量が目標電力より必要以上に下回る、つまり、必要以上の抑制をしてしまうことにより）、室内の快適性が損なわれるおそれがある。
【０００５】
しかし、従来のデマンド制御では、抑制時と復帰時の空気調和機の応答性が異なるにも関わらず、抑制指令の判定時間と復帰指令の判定時間が同じであったり、または抑制判定の条件と復帰判定の条件が同じであるため、空気調和機の復帰を迅速に行うことが困難である。そのため、デマンド目標電力の厳守と快適性維持の両立の実現も困難になっていた。
【０００６】
本発明の課題は、空気調和機の復帰を迅速に行うことができるデマンド制御装置、デマンド制御方法およびデマンド制御プログラムを提供することにある。
【課題を解決するための手段】
【０００７】
第１発明に係るデマンド制御装置は、受信部と、制御部と、送信部とを備えている。受信部は、空気調和機に供給される電力に関する情報を受信する。制御部は、電力に関する情報に基づく演算処理を行う。制御部は、空気調和機に供給される電力を抑制および復帰する制御信号を生成する。送信部は、制御信号を空気調和機に送信する。制御部は、抑制指令に係る判定時間よりも復帰指令に係る判定時間のほうを短くして、空気調和機の電力を復帰させる制御を行うための復帰用の制御信号を生成する。
【０００８】
ここでは、制御部が、電力に関する情報に基づいて演算処理を行い、抑制指令に係る判定時間よりも復帰指令に係る判定時間のほうを短くして、空気調和機の電力を復帰させる制御を行うための復帰用の制御信号を生成するので、空気調和機の復帰を迅速に行うことが可能である。
【０００９】
第２発明に係るデマンド制御装置は、第１発明に係るデマンド制御装置であって、制御部は、抑制指令に係わる判定条件について、空気調和機の現在の積算電力量が目標電力量ラインより上にありかつ、所定のデマンド時限の終了時における室外機の予測電力量がデマンド目標値より上にある場合に抑制用の制御信号を生成し、復帰指令に係わる判定条件は、空気調和機の現在の積算電力量が目標電力量ラインより下にあるか、または、所定のデマンド時限の終了時における空気調和機の予測電力量がデマンド目標値より下の場合に復帰用の制御信号を生成するものである。
【００１０】
ここでは、復帰指令に係わる判定条件が、空気調和機の現在の積算電力量が目標電力量ラインより下にあるか、または、所定のデマンド時限の終了時における空気調和機の予測電力量がデマンド目標値より下の場合であるので、復帰判定条件が大幅に緩くなり、空気調和機の復帰を迅速に行うことができる。
【００１１】
第３発明に係るデマンド制御装置は、第２発明に係るデマンド制御装置であって、制御部は、現在の積算電力量あるいは予測電力量がそれぞれの目標値から所定の大きさよりも下回っている場合に、空気調和機の電力の復帰に制限を設ける。
【００１２】
ここでは、制御部が、現在の積算電力量あるいは予測電力量がそれぞれの目標値から所定の大きさよりも下回っている場合に、空気調和機の電力の復帰に制限を設けているので、緩い復帰判定条件であっても、無理に復帰させることがなくなる。このため、安全性が向上し、省エネルギー化を達成できる。
【００１３】
第４発明に係るデマンド制御装置は、第１発明に係るデマンド制御装置であって、制御部は、経過時間により、現在の積算電力量及び予測電力量の判定基準値を変化させる。
【００１４】
ここでは、現在の積算電力量及び予測電力量の判定基準値が経過時間により変化するので、経過時間によって変動する現在の積算電力量及び予測電力量の判断基準値が所定の基準値以下の場合に復帰制御をするように設定することが可能になり、空気調和機の復帰を迅速に行うことが可能である。
【００１５】
第５発明に係るデマンド制御方法は、空気調和機のデマンド制御を行うデマンド制御方法である。このデマンド制御方法は、空気調和機に供給される電力に関する情報を受信する受信ステップと、電力に関する情報に基づいて、抑制指令に係る判定時間よりも復帰指令に係る判定時間のほうを短くして、空気調和機の電力を復帰させる制御を行うための復帰用制御信号を生成する制御信号生成ステップと、制御信号を空気調和機に送信する送信ステップとを備えている。
【００１６】
ここでは、制御信号生成ステップにおいて、電力に関する情報に基づいて、抑制指令に係る判定時間よりも復帰指令に係る判定時間のほうを短くして、空気調和機の電力を復帰させる制御を行うための復帰用の制御信号を生成するので、空気調和機の復帰を迅速に行うことが可能である。
【００１７】
第６発明に係るデマンド制御プログラムは、空気調和機のデマンド制御を行うデマンド制御プログラムである。このデマンド制御プログラムは、空気調和機に供給される電力に関する情報を受信する受信ステップと、電力に関する情報に基づいて、抑制指令に係る判定時間よりも復帰指令に係る判定時間のほうを短くして、空気調和機の電力を復帰させる制御を行うための復帰用制御信号を生成する制御信号生成ステップと、制御信号を空気調和機に送信する送信ステップとをコンピュータに実行させる。
【００１８】
ここでは、制御信号生成ステップにおいて、電力に関する情報に基づいて、抑制指令に係る判定時間よりも復帰指令に係る判定時間のほうを短くして、空気調和機の電力を復帰させる制御を行うための復帰用の制御信号を生成するので、空気調和機の復帰を迅速に行うことが可能である。
【発明の効果】
【００１９】
第１発明によれば、空気調和機の復帰を迅速に行うことができる。そのため、デマンド目標電力の厳守と快適性維持の両立の実現が可能である。
【００２０】
第２発明によれば、復帰判定条件が大幅に緩くなり、空気調和機の復帰を迅速に行うことができる。
【００２１】
第３発明によれば、緩い復帰判定条件であっても、無理に復帰させることがなくなる。このため、安全性が向上し、省エネルギー化を達成できる。
【００２２】
第４発明によれば、経過時間によって変動する現在の積算電力量及び予測電力量の判断基準値が所定の基準値以下の場合に復帰制御をするように設定することが可能になり、空気調和機の復帰を迅速に行うことができる。
【００２３】
第５発明によれば、空気調和機の復帰を迅速に行うことができる。そのため、デマンド目標電力の厳守と快適性維持の両立の実現が可能である。
【００２４】
第６発明によれば、空気調和機の復帰を迅速に行うことができる。そのため、デマンド目標電力の厳守と快適性維持の両立の実現が可能である。
【発明を実施するための最良の形態】
【００２５】
本発明の実施形態に係るデマンド制御システム１の全体的な構成図を、図１に示す。また、デマンド制御装置１０の構成を図２に概略的に示す。
【００２６】
＜デマンド制御システムの概略構成＞
図１に示すように、デマンド制御システム１は、主に、空調制御用信号線１９で結ばれたデマンド制御装置１０と複数の空気調和機２０，３０群とを備える。空気調和機２０，３０群は、複数の室外機２０群と各室外機２０と冷媒回路等により繋がる複数の室内機３０群とから構成される。空調制御用信号線１９は、デマンド制御装置１０から室外機２０群へ空調制御用の信号を送信するとともに、室外機２０群からデマンド制御装置１０へ空気調和機２０，３０群に関する情報（運転データ等）を送信する。デマンド制御装置１０は、受信した情報に基づき、室外機２０に対する空調制御用の信号を生成して送信する。
【００２７】
なお、符号５０は電源を示す。電源５０は、電力メータ４０を介して、デマンド制御装置１０および室外機２０群にそれぞれ電気的に接続されている。電力メータ４０とデマンド制御装置１０との間は電力パルス線７０によって接続され、電力メータ４０と室外機２０群との間は電力供給線８０によって接続されている。
【００２８】
＜デマンド制御装置の概略構成＞
デマンド制御装置１０は、図２に示すように、制御部であるＣＰＵ１１と、受信部１２と、送信部１３と、表示部１４と、記憶部１５等とから構成されるコンピュータである。
【００２９】
受信部１２は、電力メータ４０から電力パルス線７０を介して空気調和機の主として室外機２０に供給される電力に関する情報として電力パルス信号を受信する。また、受信部１２は、空調制御用信号線１９を介して室外機２０および室内機３０から冷媒温度や室内温度や設定温度等の情報も受信する。
【００３０】
送信部１３は、ＣＰＵ１１で生成された制御信号を、空調制御用信号線１９を介して室外機２０に送信する。
【００３１】
ＣＰＵ１１は、デマンド制御装置１０の制御部であり、ＲＯＭ等の記憶部１５に格納された所定のデマンド制御プログラム１６に従ってデマンド制御のための演算・制御処理を行う。ＣＰＵ１１は、電力メータ４０からの電力パルス信号をカウントすることによって電力を求める。
【００３２】
制御部１１は、電力に関する情報に基づく演算処理を行い、空気調和機の主として室外機２０に供給される電力を抑制および復帰する制御信号を生成する。
【００３３】
ＣＰＵ１１は、図３の判定時間のチャートおよび図４のフローチャートのステップＳ２における復帰判定時間の経過判定ステップに示されるように、抑制指令に係る判定時間よりも復帰指令に係る判定時間のほうを短くなるように、空気調和機の室外機２０の電力を復帰させる制御を行うための復帰用の制御信号を生成する。これにより、復帰指令に係る判定時間の方を、抑制指令の場合よりも短くなるようにデマンド制御するので、空気調和機の復帰を迅速に行うことができる。
【００３４】
例えば、復帰指令に係わる判定時間は、所定の時間、好ましくは１０〜６０秒、さらに好ましくは１０秒程度であれば、空気調和機の復帰をより迅速に復帰制御を行うことができる。すなわち、判定時間が１０秒未満であれば、従来より使用される市販のＣＰＵ１１の処理能力では判定処理が不可能であり、一方、６０秒を超えると迅速な復帰制御が不可能になるので、復帰指令に係わる判定時間は、１０〜６０秒であれば、実用上、空気調和機の復帰をより迅速に復帰制御を行うことができる。
【００３５】
第１実施形態のデマンド制御方法では、図３の判定時間のチャートに示されるように、デマンド時限が３０分間の場合には、抑制判定では、最初の９０〜３００秒程度は抑制制御が禁止され、その後、各々６０秒間ずつ抑制判定を行っていき、最後は、抑制判定を１０秒間だけ行ったのちに終了する。一方、復帰判定では、デマンド時限の最初に復帰制御が行われるが、その後、抑制判定時間よりも短い各々１０秒間ずつ復帰判定を行っていき、最後の９０〜３００秒程度は復帰禁止されたのちに終了する。
【００３６】
記憶部１５は、ＲＡＭやＲＯＭ等の内部メモリとハードディスク等の外部メモリを含む。記憶部１５は、後述するように、ＣＰＵ１１で求めた電力に関する情報を記憶する。記憶部１５は、デマンド制御プログラム１６を格納する。デマンド制御プログラム１６は、後述するように、第１実施形態のデマンド制御システム１によるデマンド制御の処理を実行するためのプログラムである。
【００３７】
表示部１４は、図示は省略するが、液晶ディスプレイ等の画面であり、情報の内容を利用者が認識しやすいように設けられている。例えば、電力の情報等を表やグラフ等により表示する。
【００３８】
＜デマンド制御システムの処理動作＞
第１実施形態のデマンド制御システム１による復帰制御の流れを図４のフローチャートに沿って説明する。
【００３９】
まず、ステップＳ１において、ＣＰＵ１１は、初期の復帰制御をして、室外機２０の運転をスタートさせる。
【００４０】
ついで、ステップＳ２において、ＣＰＵ１１は、所定の復帰判定時間（１０秒）を経過したか判別する。復帰判定時間（１０秒）を経過したと判断したときは、つぎのステップＳ３へ進み、経過していないと判断したときは、ステップＳ２を繰り返す。
【００４１】
ついで、ステップＳ３において、電力に関する情報を受信する。具体的には、受信部１２が、電力メータ４０から電力パルス線７０を介して空気調和機の主として室外機２０に供給される電力に関する情報として電力パルス信号を受信し、ＣＰＵ１１が、電力パルス信号をカウントすることによって電力を求める。
【００４２】
ついで、ステップＳ４において、ＣＰＵ１１は、復帰判定をする。具体的には、一般的に用いられる復帰判定の手法として、図５に示されるように、ＣＰＵ１１は、現時点の積算電力量Ｗ１ａ、Ｗ２ａと、その積算電力量の時間変化から予測されるデマンド時限終了時における予測電力量Ｗ１ｂ１、Ｗ１ｂ２、Ｗ２ｂ１、Ｗ２ｂ２とに基づいて、復帰するか、または復帰しないか（すなわち、維持や抑制をするか）のいずれかを判定する。
【００４３】
例えば、現時点の積算電力量Ｗ２ａおよび予測電力量Ｗ２ｂ２の両方が目標電力量ラインＬｔ（デマンド時限終了時にデマンド目標値に到達する図５の目標ラインＬｔ）よりも下の場合には、復帰制御が必要であると判定する（図６の丸数字(4)復帰の場合）。なお、現時点の積算電力量Ｗ１ａおよび予測電力量Ｗ１ｂ１の両方が目標ラインＬｔよりも上の場合には、ＣＰＵ１１は、抑制制御が必要であると判定する（図６の丸数字(1)復帰の場合）。また、現時点の積算電力量Ｗ１ａと予測電力量Ｗ１ｂ２を結ぶラインまたはＷ２ａとＷ２ｂ１を結ぶラインが目標電力量ラインが交差する場合には抑制も復帰もしないで現在の電力制御の状態を維持すると判定する（図６の丸数字(2)、(3)維持の場合）。
【００４４】
このステップＳ４でＣＰＵ１１が復帰制御が必要であると判定した場合には、つぎのステップＳ５へ進み、必要でないと判定した場合にはステップＳ２に戻る。
【００４５】
ついで、ステップＳ５において、室外機２０群の運転能力に対応する電力を復帰させる復帰制御信号を生成する。室外機２０群の電力の復帰は、例えば、室外機２０に設けられた圧縮機（図示省略）の運転周波数を所定の周波数まで復帰させる（その上限周波数を、１００％、７０％、４０％、０％のいずれかにするなど）などの指令信号を生成する等により行われる。
【００４６】
ついで、ステップＳ６において、送信部１３は、ＣＰＵ１１において生成した復帰制御信号を、空調制御用信号線１９を介して室外機２０に送信する。
【００４７】
最後に、ステップＳ７において、ＣＰＵ１１は、所定のデマンド時限（例えば、３０分）が終了したか否か判別する。ＣＰＵ１１は、デマンド時限が終了したと判別したときには復帰制御を終了させ、一方、終了していないと判別したときにはステップＳ２に戻り、上記一連のステップＳ２〜Ｓ７の復帰制御を繰り返す。
【００４８】
また、上記の復帰制御と並行して、抑制制御も上記ステップＳ２〜Ｓ７の復帰制御と同様の手順で行われる。なお、抑制制御の場合には、ステップＳ２において所定の抑制判定時間として復帰判定時間（１０秒）より長い６０秒を経過したか判別する。また、ステップＳ４の復帰判定に対応する抑制判定では、現時点の積算電力量Ｗ１ａおよび予測電力量Ｗ１ｂ１の両方が目標ラインＬｔよりも上の場合に、ＣＰＵ１１は、抑制制御が必要であると判定する（図６の丸数字(1)復帰の場合）。
【００４９】
＜第１実施形態の特徴＞
（１）
第１実施形態に係るデマンド制御システム１では、ＣＰＵ１１は、図３の判定時間のチャートおよび図４のフローチャートのステップＳ２における復帰判定時間の経過判定ステップに示されるように、抑制指令に係る判定時間よりも復帰指令に係る判定時間のほうを短くなるように、空気調和機の室外機２０の電力を復帰させる制御を行うための復帰用の制御信号を生成する。これにより、復帰指令に係る判定時間の方を、抑制指令の場合よりも短くなるようにデマンド制御するので、空気調和機の復帰を迅速に行うことができる。そのため、デマンド目標電力の厳守と快適性維持の両立の実現が可能である。
【００５０】
（２）
また、第１実施形態に係るデマンド制御システム１では、復帰指令に係わる判定時間は、所定の時間として１０〜６０秒に設定されているので、空気調和機の復帰をより迅速に復帰制御を行うことができる。
【００５１】
（３）
また、第１実施形態に係る空気調和機の室外機２０のデマンド制御を行うデマンド制御方法は、室外機２０に供給される電力に関する情報を受信する受信ステップＳ３と、抑制指令に係る判定時間よりも復帰指令に係る判定時間が短くなるようにステップＳ２で調整して、電力に関する情報に基づいて室外機２０の電力を復帰させる制御を行うための復帰用制御信号を生成する制御信号生成ステップＳ５と、制御信号を室外機２０に送信する送信ステップＳ６とを備えている。これにより、復帰指令に係る判定時間の方を、抑制指令の場合よりも短くなるようにデマンド制御するので、空気調和機の復帰を迅速に行うことができる。そのため、デマンド目標電力の厳守と快適性維持の両立の実現が可能である。
【００５２】
（４）
さらに、第１実施形態に係る空気調和機の室外機２０のデマンド制御を行うデマンド制御プログラム１６は、室外機２０に供給される電力に関する情報を受信する受信ステップＳ３と、抑制指令に係る判定時間よりも復帰指令に係る判定時間が短くなるようにステップＳ２で調整して、電力に関する情報に基づいて室外機２０の電力を復帰させる制御を行うための復帰用制御信号を生成する制御信号生成ステップＳ５と、制御信号を室外機２０に送信する送信ステップＳ６とをコンピュータに実行させる。これにより、復帰指令に係る判定時間の方を、抑制指令の場合よりも短くなるようにデマンド制御するので、空気調和機の復帰を迅速に行うことができる。そのため、デマンド目標電力の厳守と快適性維持の両立の実現が可能である。
【００５３】
＜第１実施形態の変形例＞
（Ａ）
第１実施形態では、空気調和機における主として室外機２０の電力デマンド制御を例にあげて説明しているが、本発明はこれに限定されるものではなく、複数の室外機２０および室内機３０の全体の電力デマンド制御を行ってもよい。
【００５４】
［第２実施形態］
第１実施形態の制御部であるＣＰＵ１１では、復帰指令に係わる判定条件として、一般的に用いられる復帰判定の手法（図５に示されるように抑制、維持、維持、復帰のように、維持と比較して復帰、抑制の条件が厳しい制御の手法）が用いられているが、本発明はこれに限定されるものではなく、以下の第２実施形態のように、復帰指令に係わる判定条件を緩く設定してもよい。
【００５５】
すなわち、第２実施形態に係わるデマンド制御装置６０では、図６に示されるように、制御部であるＣＰＵ５１は、電力に関する情報に基づく演算処理を行い、空気調和機の室外機２０に供給される電力を抑制および復帰する制御信号を生成する。
【００５６】
ＣＰＵ５１は、後述する図８に示されるように、抑制指令に係る判定条件よりも復帰指令に係る判定条件のほうを緩くなるように、室外機２０の電力を復帰させる制御を行うための復帰用の制御信号を生成する。このため、空気調和機の復帰を迅速に行うことができる。
【００５７】
具体的には、復帰指令に係わる判定条件は、図８に示されるように、空気調和機の室外機２０の現在の積算電力量Ｗ３ａ、Ｗ４ａがデマンド時限の前半（ｔ０＜ｔ＜ｔｍ）において目標電力量ラインＬｔより下にあるか、または、所定のデマンド時限の終了時（ｔ＝ｔ１）における室外機２０の予測電力量Ｗ３ｂ１、Ｗ３ｂ２、Ｗ４ｂ１、Ｗ４ｂ２がデマンド目標値Ｗｄより下の場合であるように設定されているので、空気調和機の復帰を迅速に行うことができる。
【００５８】
例えば、図８に示されるように、ＣＰＵ５１は、現時点の積算電力量Ｗ３ａ、Ｗ４ａと、その積算電力量の時間変化から予測されるデマンド時限終了時における予測電力量Ｗ３ｂ１、Ｗ３ｂ２、Ｗ４ｂ１、Ｗ４ｂ２とに基づいて復帰するかまたは復帰しないか（すなわち、抑制をするか）のいずれか一方の判定をする。なお、この判定手法では、従来一般的な判定手法（図５参照）における維持判定になる条件が、復帰判定になる条件に置き換わっているのが分かる。
【００５９】
ここでは、現時点の積算電力量Ｗ４ａおよび予測電力量Ｗ４ｂ２の両方が目標電力量ラインＬｔ（デマンド時限終了時にデマンド目標値に到達する図８の目標ラインＬｔ）よりも下の場合には、復帰制御が必要であると判定する（図８の丸数字(4)復帰の場合）。さらに、それだけでなく、現時点の積算電力量Ｗ３ａと予測電力量Ｗ３ｂ２を結ぶラインまたはＷ４ａとＷ４ｂ１を結ぶラインが目標電力量ラインが交差する場合にも、復帰制御が必要であると判定する（図８の丸数字(2)、(3)復帰の場合）。その他の現時点の積算電力量Ｗ３ａおよび予測電力量Ｗ３ｂ１の両方が目標ラインＬｔよりも上の場合のみに、ＣＰＵ１１は、抑制制御が必要であると判定する（図８の丸数字(1)復帰の場合）。
【００６０】
ＣＰＵ５１は、図８に示される現在の積算電力量Ｗ４ａあるいは予測電力量Ｗ３ｂ２、Ｗ４ｂ２がそれぞれのデマンド目標値Ｗｄから所定の大きさよりも下回っている場合に、空気調和機の室外機２０の電力の復帰に制限を設けている。
【００６１】
具体的には、ＣＰＵ５１は、現在の積算電力量Ｗ４ａが目標電力量より少し下の第１の所定値、例えば、目標電力量ラインＬｔ上の現時点における目標電力量Ｗｄｎの９０％の値より下回っている場合に、電力復帰に制限を設けている。
【００６２】
また、他の電力復帰の制限条件として、ＣＰＵ５１は、予測電力量Ｗ３ｂ２、Ｗ４ｂ２がデマンド目標値より少し下の第２の所定値、例えば、デマンド目標値Ｗｄの９０％の値より下回っている場合に、電力復帰に制限を設けている。
【００６３】
以上のような第２実施形態における復帰指令に係る判定条件を緩くするデマンド制御プログラム５６は、記憶部１５に記憶されている。
【００６４】
その他のデマンド制御装置およびそれを含むデマンド制御システムの構成は、第１実施形態に係わるデマンド制御装置１０およびそれを含むデマンド制御システム１の構成（図１〜２参照）と共通である。
【００６５】
＜デマンド制御システムの処理動作＞
第２実施形態のデマンド制御システム１による復帰制御の流れを図７のフローチャートに沿って説明する。
【００６６】
まず、ステップＳ１１において、ＣＰＵ５１は、初期の復帰制御をして、室外機２０の運転をスタートさせる。
【００６７】
ついで、ステップＳ１２において、ＣＰＵ５１は、所定の復帰判定時間（通常の６０秒）を経過したか判別する。復帰判定時間（６０秒）を経過したと判断したときは、つぎのステップＳ１３へ進み、経過していないと判断したときは、ステップＳ１２を繰り返す。なお、復帰判定時間は、第１実施形態と同様に１０秒にすることも可能であり、その場合、さらに、空気調和機の室外機２０の復帰をより一層迅速に行うことが可能である。
【００６８】
ついで、ステップＳ１３において、第１実施形態と同様に、電力に関する情報を受信する。具体的には、受信部１２が、電力メータ４０から電力パルス線７０を介して空気調和機の主として室外機２０に供給される電力に関する情報として電力パルス信号を受信し、ＣＰＵ５１が、電力パルス信号をカウントすることによって電力を求める。
【００６９】
ついで、ステップＳ１４において、ＣＰＵ５１は、緩い復帰判定条件で復帰判定をする。具体的には、上述のように、図８に示される空気調和機の室外機２０の現在の積算電力量Ｗ３ａ、Ｗ４ａがデマンド時限の前半（ｔ０＜ｔ＜ｔｍ）において目標電力量ラインＬｔより下にあるか、または、所定のデマンド時限の終了時（ｔ＝ｔ１）における室外機２０の予測電力量Ｗ３ｂ１、Ｗ３ｂ２、Ｗ４ｂ１、Ｗ４ｂ２がデマンド目標値Ｗｄより下の場合に、復帰制御が必要であると判定する（図８の丸数字(2)、(3)、(4)復帰の場合）。例えば、図８に示されるように、現時点の積算電力量Ｗ４ａおよび予測電力量Ｗ４ｂ２の両方が目標電力量ラインＬｔ（デマンド時限終了時にデマンド目標値に到達する図８の目標ラインＬｔ）よりも下の場合には、復帰制御が必要であると判定する（図８の丸数字(4)復帰の場合）。さらに、それだけでなく、現時点の積算電力量Ｗ３ａと予測電力量Ｗ３ｂ２を結ぶラインまたはＷ４ａとＷ４ｂ１を結ぶラインが目標電力量ラインが交差する場合にも、復帰制御が必要であると判定する（図８の丸数字(2)、(3)復帰の場合）。その他の現時点の積算電力量Ｗ３ａおよび予測電力量Ｗ３ｂ１の両方が目標ラインＬｔよりも上の場合のみに、ＣＰＵ５１は、抑制制御が必要であると判定する（図８の丸数字(1)復帰の場合）。
【００７０】
このステップＳ１４でＣＰＵ５１が復帰制御が必要であると判定すると判定した場合には、つぎのステップＳ１５へ進み、必要でないと判定した場合にはステップＳ１２に戻る。
【００７１】
ついで、ステップＳ１５において、ＣＰＵ５１は、現在の積算電力量Ｗ４ａが目標電力量ラインＬｔ上の現時点における目標電力量Ｗｄｎの９０％の値より下回っているか判別する。下回っていると判別したときには、電力復帰を制限するために、ステップＳ１２に戻り、下回っていないと判別したときには、つぎのステップＳ１６へ進む。
【００７２】
ついで、ステップＳ１６において、ＣＰＵ５１は、予測電力量Ｗ３ｂ２、Ｗ４ｂ２がデマンド目標値Ｗｄの９０％の値より下回っていると判別したときには、電力復帰を制限するために、ステップＳ１２に戻り、下回っていないと判別したときには、つぎのステップＳ１７へ進む。
【００７３】
ついで、ステップＳ１７において、室外機２０群の運転能力に対応する電力を復帰させる復帰制御信号を生成する。室外機２０群の電力の復帰は、例えば、室外機２０に設けられた圧縮機（図示省略）の運転周波数を所定の周波数まで復帰させる（その上限周波数を、１００％、７０％、４０％、０％のいずれかにするなど）などの指令信号を生成する等により行われる。
【００７４】
ついで、ステップＳ１８において、送信部１３は、ＣＰＵ５１において生成した復帰制御信号を、空調制御用信号線１９を介して室外機２０に送信する。
【００７５】
最後に、ステップＳ１９において、ＣＰＵ５１は、所定のデマンド時限（例えば、３０分）が終了したか否か判別する。ＣＰＵ５１は、デマンド時限が終了したと判別したときには復帰制御を終了させ、一方、終了していないと判別したときにはステップＳ１２に戻り、上記一連の復帰制御を繰り返す。
【００７６】
また、上記の復帰制御と並行して、抑制制御も同様に行われる。なお、ステップＳ１４の復帰判定に対応する抑制判定では、現時点の積算電力量Ｗ１ａおよび予測電力量Ｗ１ｂ１の両方が目標ラインＬｔよりも上の場合に、ＣＰＵ５１は、抑制制御が必要であると判定する（図６の丸数字(1)復帰の場合）。また、抑制制御では、復帰制御の制限のステップＳ１５、Ｓ１６のような制限用ステップも不要である。
【００７７】
＜第２実施形態の特徴＞
（１）
第２実施形態に係るデマンド制御システムでは、ＣＰＵ５１は、抑制指令に係る判定条件よりも復帰指令に係る判定条件のほうを緩くなるように、室外機２０の電力を復帰させる制御を行うための復帰用の制御信号を生成する。このため、空気調和機の復帰を迅速に行うことができる。そのため、デマンド目標電力の厳守と快適性維持の両立の実現が可能である。
【００７８】
（２）
また、第２実施形態に係るデマンド制御システムでは、復帰指令に係わる判定条件が、図８に示されるように、空気調和機の室外機２０の現在の積算電力量Ｗ３ａ、Ｗ４ａがデマンド時限の前半（ｔ０＜ｔ＜ｔｍ）において目標電力量ラインＬｔより下にあるか、または、所定のデマンド時限の終了時（ｔ＝ｔ１）における室外機２０の予測電力量Ｗ３ｂ１、Ｗ３ｂ２、Ｗ４ｂ１、Ｗ４ｂ２がデマンド目標値Ｗｄより下の場合であるように設定されているので、復帰判定条件が大幅に緩くなり、空気調和機の復帰を迅速に行うことができる。
【００７９】
（３）
また、第２実施形態に係るデマンド制御システムでは、ＣＰＵ５１は、図８に示される現在の積算電力量Ｗ４ａあるいは予測電力量Ｗ３ｂ２、Ｗ４ｂ２がそれぞれのデマンド目標値Ｗｄから所定の大きさよりも下回っている場合に、空気調和機の室外機２０の電力の復帰に制限を設けているので、緩い復帰判定条件であっても、無理に復帰させることがなくなり、安全性が向上し、省エネルギー化を達成できる。
【００８０】
（４）
また、第２実施形態に係るデマンド制御システムでは、ＣＰＵ５１は、現在の積算電力量Ｗ４ａが第１の所定値、例えば、目標電力量ラインＬｔ上の現時点における目標電力量Ｗｄｎの９０％の値より下回っている場合に、電力復帰に制限を設けているので、現在の積算電力量Ｗ４ａが目標電力量Ｗｄｎよりも大きく下回っている場合には、緩い復帰判定条件であっても、無理に復帰させることがなくなり、安全性が向上し、省エネルギー化を達成できる。
【００８１】
（５）
また、第２実施形態に係るデマンド制御システムでは、ＣＰＵ５１は、予測電力量Ｗ３ｂ２、Ｗ４ｂ２が第２の所定値、例えば、デマンド目標値Ｗｄの９０％の値より下回っている場合に、電力復帰に制限を設けているので、予測電力量Ｗ３ｂ２、Ｗ４ｂ２がデマンド目標値Ｗｄよりも大きく下回っている場合には、緩い復帰判定条件であっても、無理に復帰させることがなくなり、安全性が向上し、省エネルギー化を達成できる。
【００８２】
（６）
また、第２実施形態に係る空気調和機の室外機２０のデマンド制御を行うデマンド制御方法は、室外機２０に供給される電力に関する情報を受信する受信ステップＳ１３と、抑制指令に係る判定条件よりも復帰指令に係る判定条件のほうを緩くなるようにステップＳ１４で判定した後に室外機２０の電力を復帰させる制御を行うための復帰用の制御信号を生成する制御信号生成ステップＳ１７と、制御信号を室外機２０に送信する送信ステップＳ１８とを備えている。これにより、抑制指令に係る判定条件よりも復帰指令に係る判定条件のほうを緩くなるように、室外機２０の電力を復帰させる制御を行うための復帰用の制御信号を生成することができ、空気調和機の復帰を迅速に行うことができる。そのため、デマンド目標電力の厳守と快適性維持の両立の実現が可能である。
【００８３】
（７）
さらに、第２実施形態に係る空気調和機の室外機２０のデマンド制御を行うデマンド制御プログラム５６は、室外機２０に供給される電力に関する情報を受信する受信ステップＳ１３と、抑制指令に係る判定条件よりも復帰指令に係る判定条件のほうを緩くなるようにステップＳ１４で判定した後に室外機２０の電力を復帰させる制御を行うための復帰用の制御信号を生成する制御信号生成ステップＳ１７と、制御信号を室外機２０に送信する送信ステップＳ１８とをコンピュータに実行させる。これにより、抑制指令に係る判定条件よりも復帰指令に係る判定条件のほうを緩くなるように、室外機２０の電力を復帰させる制御を行うための復帰用の制御信号を生成することができ、空気調和機の復帰を迅速に行うことができる。そのため、デマンド目標電力の厳守と快適性維持の両立の実現が可能である。
【００８４】
＜第２実施形態の変形例＞
（Ａ）
第２実施形態では、空気調和機における主として室外機２０の電力デマンド制御を例にあげて説明しているが、本発明はこれに限定されるものではなく、複数の室外機２０および室内機３０の全体の電力デマンド制御を行ってもよい。
【００８５】
（Ｂ）
第２実施形態におけるデマンド制御では、所定の復帰判定時間として、通常の６０秒を経過したか判別しているが、本発明はこれに限定されるものではなく、復帰判定時間は、第１実施形態と同様に１０秒にすることも可能である。その場合、ＣＰＵ５１は、抑制指令に係る判定条件および判定時間よりも復帰指令に係る判定条件および判定時間のほうを、判定条件を緩く、かつ、判定時間が短くなるように、空気調和機の電力を復帰させる制御を行うための復帰用の制御信号を生成する。これにより、空気調和機の室外機２０の復帰をより一層迅速に行うことが可能である。
【００８６】
（Ｃ）
なお、第２実施形態では、デマンド時限の前半（ｔ０＜ｔ＜ｔｍ）における現在の積算電力量Ｗ３ａ、Ｗ４ａが目標電力量ラインＬｔより下にあるか否かで、復帰判定をしているが、本発明はデマンド時限の前半（ｔ０＜ｔ＜ｔｍ）の範囲にとくに限定されるものではなく、適宜、その時間をデマンド時限のうちの所定の時間の範囲で設定してもよい。
【００８７】
（Ｄ）
第２実施形態に係るデマンド制御システムでは、ＣＰＵ５１は、現在の積算電力量Ｗ４ａが目標電力量ラインＬｔ上の現時点における目標電力量Ｗｄｎの９０％の値より下回っている場合に、電力復帰に制限を設けているが、本発明はこれに限定されるものではない。第２実施形態の変形例として、現在の積算電力量Ｗ３ａが目標電力量より少し上の第３の所定値、例えば、目標電力量ラインＬｔ上の現時点における目標電力量Ｗｄｎの１１０％の値より下回っている場合（すなわち、現時点の積算電力量Ｗ３ａが目標電力量ラインＬｔより少し上にある場合（図８の丸数字(3)復帰の場合））に、電力復帰に制限を設けるようにしてもよい。
【００８８】
この場合には、現在の積算電力量Ｗ３ａが目標電力量の１１０％の値より下回っている場合には、緩い復帰判定条件であっても、無理に復帰させることがなくなり、安全性が向上し、省エネルギー化を達成できる。
【００８９】
（Ｅ）
また、第２実施形態に係るデマンド制御システムでは、ＣＰＵ５１は、予測電力量Ｗ３ｂ２がデマンド目標値Ｗｄの９０％の値より下回っている場合に、電力復帰に制限を設けているが、本発明はこれに限定されるものではない。第２実施形態の変形例として、予測電力量Ｗ４ｂ１がデマンド目標値より少し上の第４の所定値、例えば、デマンド目標値Ｗｄの１１０％の値より下回っている場合（すなわち、予測電力量Ｗ４ｂ１が目標電力量ラインＬｔより少し上にある場合（図８の丸数字(2)復帰の場合））には、緩い復帰判定条件であっても、無理に復帰させることがなくなり、安全性が向上し、省エネルギー化を達成できる。
【００９０】
［第３実施形態］
上記の第２実施形態では、復帰条件を緩くする条件として、復帰指令に係わる判定条件は、図８に示されるように、空気調和機の室外機２０の現在の積算電力量Ｗ３ａ、Ｗ４ａがデマンド時限の前半（ｔ０＜ｔ＜ｔｍ）において目標電力量ラインＬｔより下にあるか、または、所定のデマンド時限の終了時（ｔ＝ｔ１）における室外機２０の予測電力量Ｗ３ｂ１、Ｗ３ｂ２、Ｗ４ｂ１、Ｗ４ｂ２がデマンド目標値Ｗｄより下の場合であるように設定されているが、本発明はこれに限定されるものではない。
【００９１】
復帰条件を緩くする他の例として、本発明の第３実施形態として、経過時間により復帰の判断基準を変えることによって復帰条件を緩くするようにしてもよい。
【００９２】
すなわち、第３実施形態に係わる復帰指令に係わる判定条件は、
デマンドの時限時間をΔｔｄ、時限完了までの残り時間を時限内残時間Δｔｒ、時限完了までの残り時間Δｔｒがデマンドの時限時間Δｔｄに占める割合を時限残存率Ｔｒｒとすると、
時限残存率Ｔｒｒ＝時限内残時間Δｔｒ/デマンド時限時間Δｔｄとなり、
現在の積算電力量（現在電力）：Ｖｐ、
予測電力量（予測電力）：Ｖｅ、
デマンド目標値：Ｖｄ、
目標電力量ライン上の現時点における目標電力量（目標ライン）：Ｖｐｅ
とした場合に、
条件Ａ：
現在電力Ｖｐ＜目標ラインＶｐｅ×（１００−１０×Ｔｒｒ）
かつ
予測電力Ｖｅ＜デマンド目標値Ｖｄ×（１００＋１０×Ｔｒｒ）
、または
条件Ｂ：
現在電力Ｖｐ＜目標ラインＶｐｅ×（１００＋１０×Ｔｒｒ）
かつ
予測電力Ｖｅ＜デマンド目標値Ｖｄ×（１００−１０×Ｔｒｒ）
で求められるときにおいて、
現在電力Ｖｐ及び予測電力Ｖｅの判定基準値が上記のように時限残存率Ｔｒｒを加味して変化する。
【００９３】
＜第３実施形態の特徴＞
上記のように復帰条件を設定すれば、経過時間によって変動する現在電力Ｖｐ及び予測電力Ｖｅの判断基準値が所定の基準値以下の場合に復帰制御をするように設定することが可能になり、空気調和機の復帰を迅速に行うことができる。
【産業上の利用可能性】
【００９４】
本発明のデマンド制御装置、デマンド制御方法およびデマンド制御プログラムは、空気調和機の電力デマンド制御に係わる技術に適用することが可能である。本発明の提案するデマンド制御は、種々の種類や型式の空気調和機に広く適用することが可能である。
【図面の簡単な説明】
【００９５】
【図１】本発明の第１実施形態に係るデマンド制御システムの全体構成図。
【図２】図１のデマンド制御装置の概略構成図。
【図３】本発明の第１実施形態に係るデマンド制御における復帰判定時間および抑制判定時間のタイムチャート。
【図４】本発明の第１実施形態に係るデマンド制御システムの処理の流れを示すフローチャート。
【図５】本発明の第１実施形態に係るデマンド制御の復帰判定の手法を示す図。
【図６】本発明の第２実施形態に係るデマンド制御装置の概略構成図。
【図７】本発明の第２実施形態に係るデマンド制御システムの処理の流れを示すフローチャート。
【図８】本発明の第２実施形態に係るデマンド制御の復帰判定の手法を示す図。
【図９】一般的な空気調和機を抑制させる場合の電力変化を示すグラフ。
【図１０】一般的な空気調和機を復帰させる場合の電力変化を示すグラフ。
【符号の説明】
【００９６】
１          デマンド制御システム
１０、６０  デマンド制御装置
１１、５１  ＣＰＵ（制御部）
１２        受信部
１３        送信部
１５        記憶部
１６、５６  デマンド制御プログラム
１９        空調制御用信号線
２０        室外機（空気調和機）
３０        室内機（空気調和機）
４０        電力メータ
５０        電源
【図１】
0004548455.tif 000002
【図２】
0004548455.tif 000003
【図３】
0004548455.tif 000004
【図４】
0004548455.tif 000005
【図５】
0004548455.tif 000006
【図６】
0004548455.tif 000007
【図７】
0004548455.tif 000008
【図８】
0004548455.tif 000009
【図９】
0004548455.tif 000010
【図１０】
0004548455.tif 000011